(57)【要約】  繰返し使用が極めて容易に可能であって材料浪費等の問題がなく、また、エネルギー問題もなく、しかも、展示・掲示装置や集塵装置等の種々の用途に適用可能な両面吸着構造体を提供する。  絶縁材料で平板状に形成されて表裏両面を有する誘電体（３）とこの誘電体の内部に埋設された内部電極（４）とを有し、上記内部電極（４）に電圧を印加した際に上記誘電体の表裏両面がそれぞれ吸着面となる静電チャック部（２）と、この静電チャック部（２）の内部電極に電圧を印加する電源部（５）とを備え、上記電源部（５）が太陽電池（６）とこの太陽電池（６）で発電された電力を昇圧する昇圧回路（７）を備えた両面吸着構造体であり、また、これを用いて形成された展示・掲示用の表示手段を備えた展示・掲示装置であり、更に、これを用いて形成された集塵手段を備えたる集塵装置であり、更にまた、これを用いて形成された植物育成装置である。
2010032676.tif 000002
【特許請求の範囲】
【請求項１】
絶縁材料で平板状に形成されて表裏両面を有する誘電体とこの誘電体の内部に埋設された内部電極とを有し、上記内部電極に電圧を印加した際に上記誘電体の表裏両面がそれぞれ吸着面となる静電チャック部と、この静電チャック部の内部電極に電圧を印加する電源部とを備え、
上記電源部が太陽電池とこの太陽電池で発電された電力を昇圧する昇圧回路を備えていることを特徴とする両面吸着構造体。
【請求項２】
電源部が、太陽電池で発電された電力を蓄電する蓄電手段を備えている請求項１に記載の両面吸着構造体。
【請求項３】
静電チャック部は、その厚さが０．２〜３mmのシート状又は薄板状に形成されている請求項１又は２に記載の両面吸着構造体。
【請求項４】
静電チャック部の誘電体が、合成樹脂製及び／又はセラミックス製である請求項３に記載の両面吸着構造体。
【請求項５】
静電チャック部の誘電体が、可撓性を有する合成樹脂製の樹脂シートに形成されている請求項３に記載の両面吸着構造体。
【請求項６】
請求項１〜５のいずれかに記載の両面吸着構造体を用いて形成された展示・掲示用の表示手段を備えていることを特徴とする展示・掲示装置。
【請求項７】
請求項１〜５のいずれかに記載の両面吸着構造体を用いて形成された集塵手段を備えていることを特徴とする集塵装置。
【請求項８】
両面吸着構造体を用いて形成された集塵手段が、両面吸着構造体の電源部のオン・オフにより静電チャック部の吸着面に着脱可能なフィルターペーパーを有する請求項７に記載の集塵装置。
【請求項９】
請求項１〜５のいずれかに記載の両面吸着構造体を用いて形成され、電圧印加時に植物に対して電界による電気刺激を付与する電気刺激手段を備えていることを特徴とする植物育成装置。
【発明の詳細な説明】
【技術分野】
【０００１】
この発明は、静電チャック機能を有して種々の用途に利用可能な両面吸着構造体とこれを用いた展示・掲示装置、集塵装置、及び植物育成装置に関する。
【背景技術】
【０００２】
例えば、商品等の展覧会場において展示品の商品説明図等の掲示物を掲示する際に、会場の壁や柱等に直接に掲示物を貼り付けることができないので、展示者毎の間仕切りがある場合には、その間仕切りを利用して接着テープ等で固定したり、また、間仕切り等がない場合には、この会場内の展示品の近くに掲示板を持ち込み、この掲示板に掲示物を掲示すること等が行われている。しかしながら、このような方法での掲示物の掲示には、間仕切りに粘着テープの貼付跡が残ったり、あるいは、持ち込まれた掲示板により会場内のスペースが狭くなる等の種々の問題が生じる。【０００３】
また、例えば、大学等で受験会場までの道順を受験者に知らせる道順案内図等の屋外での一時的な掲示物の掲示は、一般的には、簡便な立て看板を作製し、ポイントとなる門柱、建物の外壁、樹木、簡単な杭等を利用して行われている。しかしながら、このような方法での掲示物の掲示は、作製された立て看板の保存が面倒なことから、毎年、立て看板の作製とその廃棄が繰り返されているのが実情であり、そのための木材等や労力が無駄になる等の種々の問題がある。【０００４】
更に、例えば、住宅等の建物において、屋内に外気を導入して屋内の換気を行う場合、清浄化された外気を屋内各室に供給すると共に各室内の空気を回収して屋外に排出する換気ユニットと、この換気ユニットの外気取入口に接続され、この外気取入口から導入された外気中の塵埃、花粉等の粉塵物を捕集する集塵装置とを備えた集塵換気設備を設けることが行われている。しかしながら、従来のこの種の集塵換気設備に使用される集塵装置は、それが例えばサイクロン式集塵装置等の大型のものであると（特許文献１）、その設置スペースの確保が困難であるばかりでなく、フィルターのメンテナンスにも多大な負担を強いられ、また、それが外気取入口に設置される簡単な集塵フィルターであると、集塵機能が不足して粉塵物を充分に捕集できないという問題がある。【０００５】
しかも、このような建物の集塵換気設備においては、建物の用途やその周辺の環境によっては、朝から晩まで終日運転を行う必要がある場合があり、このような場合には、集塵装置そのものの問題のほか、集塵装置を機能させるためのエネルギーを如何に確保するかの別の問題もある。【０００６】
更にまた、稲苗、もやし、カイワレ大根等の植物や、エノキタケシイタケ等の菌類などの育苗に用いられて、屋外に設置される育苗箱等の植物育成装置においても、上記の展示・掲示装置や集塵装置の場合と同様の問題がある。
【先行技術文献】
【特許文献】
【０００７】
【特許文献１】特開2008-164,194号公報
【発明の概要】
【発明が解決しようとする課題】
【０００８】
そこで、本発明者は、半導体製造プロセスのイオン注入装置、イオンドーピング装置、プラズマイマージョン装置等において汎用されている半導体基板の吸着・保持に用いられる静電チャックの吸着機能に着目すると共に太陽電池の自己発電機能に着目し、展示・掲示装置、集塵装置、植物育成装置等における種々の問題を解決することについて鋭意検討した結果、静電チャックに両面吸着機能を持たせ、この静電チャックの両面吸着機能を太陽電池の自己発電機能を利用して作動させ、これによって、一方の吸着面を電気的絶縁体からなる被吸着面に着脱可能に吸着させると共に他方の吸着面に目的の機能を発現させ、また、このために必要なエネルギーを太陽電池から供給できるようにした両面吸着構造体を開発し、本発明を完成した。【０００９】
従って、本発明の目的は、繰返し使用が極めて容易に可能であって材料浪費等の問題がなく、また、エネルギー問題もなく、しかも、展示・掲示装置、集塵装置、植物育成装置等の種々の用途に適用可能な両面吸着構造体を提供することにある。【００１０】
また、本発明の他の目的は、上記の両面吸着構造体を利用して形成され、門柱、建物の外壁等の種々の場所に容易に設置できるほか、そのためのエネルギー問題もなく、しかも、繰返し使用が可能な展示・掲示装置を提供することにある。【００１１】
更に、本発明の他の目的は、上記の両面吸着構造体を利用して形成され、優れた集塵機能を有すると共に、設置スペースの確保やメンテナンスが容易であり、しかも、エネルギー問題もない集塵装置を提供することにある。【００１２】
更にまた、本発明の他の目的は、上記の両面吸着構造体を利用して形成され、育苗箱等において発芽又は生育中の種苗に対してその生育を促進するための電気刺激を付与することができる植物育成装置を提供することにある。
【課題を解決するための手段】
【００１３】
すなわち、本発明は、絶縁材料で平板状に形成されて表裏両面を有する誘電体とこの誘電体の内部に埋設された内部電極とを有し、上記内部電極に電圧を印加した際に上記誘電体の表裏両面がそれぞれ吸着面となる静電チャック部と、この静電チャック部の内部電極に電圧を印加する電源部とを備え、上記電源部が太陽電池とこの太陽電池で発電された電力を昇圧する昇圧回路を備えていることを特徴とする両面吸着構造体である。【００１４】
また、本発明は、このような両面吸着構造体を用いて形成された展示・掲示用の表示手段を備えている展示・掲示装置であり、また、このような両面吸着構造体を用いて形成された集塵手段を備えている集塵装置であり、更に、このような両面吸着構造体を用いて形成され、電圧印加時に植物に対して電界による電気刺激を付与する電気刺激手段を備えている植物育成装置である。【００１５】
本発明において、両面吸着構造体を構成する静電チャック部は、少なくとも絶縁材料で平板状に形成されて表裏両面を有する誘電体とこの誘電体の内部に埋設された内部電極を有し、上記内部電極に電圧を印加した際に上記誘電体の表裏両面がそれぞれ吸着面となるものであればよく、内部電極として正電極及び負電極を有する双極型であっても、また、内部電極として正（負）電極のみを有して負（正）極側は接地される単極型であってもよいが、より強力な両面吸着性能を発現させる上で有利であり、また、接地を必要としないことから、好ましくは双極型であるのがよい。【００１６】
このような静電チャック部の厚さは、両面吸着構造体の用途によって適宜選択されるものではあるが、取り扱いや耐久性の観点から、好ましくは、その厚さが０．２mm以上３mm以下、より好ましくは０．５mm以上１mm以下のシート状又は薄板状に形成されているものがよい。この静電チャック部の厚さは、０．２mmより薄くなると薄くなりすぎて取り扱いが不便になったり、耐久性に不安がでるという問題があり、反対に、３mmより厚くなると重量が重くなり、また、取り扱いがしにくいという問題がある。【００１７】
また、上記静電チャック部の誘電体については、合成樹脂製やセラミックス製であるのが一般的であり、両面吸着構造体の用途に応じて、その全体を合成樹脂で形成したり、セラミックスで形成したり、あるいは、内部に埋設された内部電極を境にしてその一方の吸着面側を合成樹脂で形成すると共に他方の吸着面側をセラミックスで形成してもよい。例えば、両面吸着構造体の用途が屋内で使用されるもの、屋外でも屋根等があるところで使用されるもの、あるいは真空中で使用されるものなどのように、雰囲気が常温であり湿度が高くないところである場合には全体を合成樹脂で形成するのがよく、また、両面吸着構造体の用途が屋外で屋根等がないところで使用されたり、工場内で使用されたり、真空中でプラズマなどの発生する周辺で使用されるものなどのように、高温で多湿であったり、金属のゴミや腐食性薬品等が存在したりガスを取り扱うようなところである場合には全体をセラミックスで形成するのがよく、更に、両面吸着構造体の用途が後者の場合であっても一方向の面のみ雰囲気が安定している壁等に取り付ける場合には、一方の吸着面側を合成樹脂で形成すると共に他方の吸着面側をセラミックスで形成するのがよい。【００１８】
特に、両面吸着構造体の用途が例えば展示・掲示装置、集塵装置、植物育成装置等の場合には、この両面吸着構造体自体の重量を軽量化することが求められるので、静電チャック部については、好ましくはその誘電体を合成樹脂製の樹脂シートに、より好ましくは可撓性を有する樹脂シートに形成するのがよく、内部電極も含めた静電チャック部全体の厚さを０．２mm以上３mm以下にするのがよい。特に、誘電体を可撓性の樹脂シートに形成して静電チャック部全体の厚さを０．２mm以上０．５mm以下にすると、静電チャック部全体が両面吸着構造体の取付面に沿って容易に変形し、両面吸着構造体の取付部が湾曲していたり、折れ曲がっていてもその取付が容易になる。【００１９】
また、本発明において、両面吸着構造体を構成する電源部は、少なくとも光エネルギーを電気エネルギーに変換して発電する太陽電池とこの太陽電池で発電された電力を静電チャック部に供給してその両面の吸着面における両面吸着機能を発現させるのに必要な電圧まで昇圧する昇圧回路とを有すればよく、使用される太陽電池や昇圧回路については、両面吸着構造体の用途に応じて、従来公知のものから適宜選んで使用することができる。【００２０】
そして、この電源部については、両面吸着構造体の用途が例えば展示・掲示装置、集塵装置、植物育成装置等の用途の場合であって、その太陽電池が昼間の太陽光を利用するものである場合には、好ましくは太陽電池で発電された電力を蓄電するバッテリー、大容量コンデンサー等の蓄電手段を設け、夜間や雨天等の太陽電池の発電機能が低下している際にも両面吸着構造体の両面吸着機能を発現させるようにするのがよい。このような蓄電手段については、両面吸着構造体の用途によっても異なるが、例えば展示・掲示装置の展示・掲示用表示手段として利用する場合には、この両面吸着構造体に所定の吸着力を２日間に亘って発揮させることができるように、そのエネルギー容量が２００mWh以上であるのが好ましい。【００２１】
更に、この電源部については、必要により、両面吸着構造体に対して電力を供給したり、あるいは、電力の供給を遮断できるように、オン・オフ用の電源スイッチを設けてもよく、例えば、展示・掲示装置においてその展示・掲示用の表示手段として両面吸着構造体を利用した場合には、表示手段に吸着された掲示物等の交換の際に電源部の電源スイッチをオン・オフさせるのがよく、また、例えば、集塵装置の集塵手段として両面吸着構造体を利用した場合には、静電チャック部の吸着面に着脱可能に吸着されるフィルターペーパーの交換時に電源スイッチをオン・オフさせるのがよい。【００２２】
更にまた、本発明において、両面吸着構造体を構成する静電チャック部と電源部については、電源部から静電チャック部に電力が供給されるように結線されていればよく、これら静電チャック部と電源部とを一体的に形成したり、あるいは、一緒に配置してもよいほか、これら静電チャック部と電源部との間を比較的長い接続ケーブルで接続し、静電チャック部についてはその都合のよい場所に設置し、また、電源部については太陽電池による発電に都合のよい場所に設置するようにしてもよく、更に、電源部を構成する太陽電池と昇圧回路とについても、必要に応じて、これらを一体的に形成したり、また、一緒に配置したり、更には、接続ケーブルで接続し手互いに離間して配置してもよい。【００２３】
本発明の両面吸着構造体を用いて形成され、展示・掲示装置に搭載される展示・掲示用の表示手段については、両面吸着構造体そのものを表示手段とし、その一方の吸着面を、セラミックスや合成樹脂等の電気絶縁性の誘電体材料で形成された門柱、建物の外壁、窓ガラス、あるいは金属性の構造物でなる従来の掲示板や壁等の被設置場所に吸着させて固定し、また、その他方の吸着面には、ポスター、道順案内図等の屋外での一時的な掲示物等を吸着させて固定してもよく、また、両面吸着構造体を所定の表示用枠体等に組み込んで表示手段を構成し、一方の吸着面を被設置場所に吸着させて固定すると共に、他方の吸着面で表示用枠体を保持し、この表示用枠体に掲示物等を保持させるようにしてもよい。【００２４】
そして、両面吸着構造体をこのような展示・掲示装置の表示手段として利用する場合には、両面吸着構造体の電源部からの電力を利用して掲示物等の照明やイルミネネーションとして利用することもできる。【００２５】
また、本発明の両面吸着構造体を用いて形成され、集塵装置に搭載される集塵手段については、両面吸着構造体そのもので集塵機能を発現する集塵手段を構成してもよく、また、両面吸着構造体の両面吸着機能を利用して所定の形状の支持体の表面に取り付けて集塵手段を構成するようにしてもよく、更に、両面吸着構造体において粉塵物を吸着する吸着面にフィルターペーパーを吸着させて集塵手段を構成するようにしてもよい。【００２６】
更に、本発明の両面吸着構造体を用いて形成され、電圧印加時に植物に対して電界による電気刺激を付与する電気刺激手段については、例えば植物育成装置が発芽又は生育中の種苗を育成するための複数の育苗箱とこれらの育苗箱を収容する保護ケースとで構成されている場合には、例えば合成樹脂製の平板状の樹脂板や可撓性樹脂シートに形成され、この保護ケースの側壁体及び蓋体の一部又は全部に吸着させて用いるようにしてもよく、また、可撓性樹脂シートの場合には保護ケースの上方から被覆して用いるようにしてもよい。
【発明の効果】
【００２７】
本発明の両面吸着構造体は、太陽電池により駆動され、また、その表裏両面において両面吸着機能を発現するので、繰返し使用が極めて容易に可能であって材料浪費等の問題がなく、また、エネルギー問題もなく、しかも、展示・掲示装置や集塵装置を始めとする多くの用途に適用することができる。【００２８】
また、本発明の展示・掲示装置は、太陽電池により駆動され、また、その表裏両面において両面吸着機能を発現する両面吸着構造体を利用して形成されているので、門柱、建物の外壁等の種々の場所に容易に設置できるほか、そのためのエネルギー問題もなく、しかも、繰返し使用が可能である。【００２９】
更に、本発明の集塵装置は、太陽電池により駆動され、また、その表裏両面において両面吸着機能を発現する両面吸着構造体を利用して形成されているので、優れた集塵機能を有すると共に、設置スペースの確保やメンテナンスが容易であり、しかも、エネルギー問題もなく、例えば住宅等の建物に設けられる集塵換気設備の集塵装置として極めて有用である。更には本発明の集塵装置を半導体製造装置の処理室やビームライン等でのパーティクルの除去装置に応用することも可能である。【００３０】
更にまた、本発明の植物育成装置は、育成される種苗等の植物に電界からなる電気刺激を与えるための電気刺激手段が本発明の両面吸着構造体で形成され、太陽電池により駆動されるので、屋外に容易に設置できるほか、そのためのエネルギー問題もなく、しかも、繰返し使用が可能である。
【図面の簡単な説明】
【００３１】
【図１】図１は、本発明の実施例１の展示・掲示装置に表示手段として採用された両面吸着構造体を説明するための説明図である。
【００３２】
【図２】図２は、本発明の実施例１に係る展示・掲示装置を説明するための平面説明図(a)及び側面説明図(b)からなる説明図である。
【００３３】
【図３】図３は、本発明の実施例２に係る集塵装置を説明するための斜視説明図(a)及び部分拡大説明図(b)からなる説明図である。
【００３４】
【図４】図４は、本発明の実施例３に係るカイワレ大根製造用の植物育成装置の試験装置を示す説明図である。
【００３５】
【図５】図５は、本発明の実施例３に係るカイワレ大根製造用の植物育成装置の試験装置を用いて実施した植物育成試験の結果を示すグラフ図である。
【発明を実施するための形態】
【００３６】
以下、添付図面に示す実施例に基づいて、本発明の両面吸着構造体及びこれを使用した展示・掲示装置並びに集塵装置の好適な実施の形態を具体的に説明する。
【００３７】
［実施例１］
図１及び図２において、本発明の実施例１に係る両面吸着構造体１を展示・掲示用の表示手段として利用する展示・掲示装置が示されている。
この実施例１の展示・掲示装置において、上記表示手段としての両面吸着構造体１は、絶縁材料で平板状に形成されて表裏両面を有する誘電体３とこの誘電体３の内部に埋設された内部電極４とを有し、上記内部電極４に電圧を印加した際に上記誘電体３の表裏両面がそれぞれ吸着面3a,3bとなる静電チャック部２と、太陽電池６とこの太陽電池６で発電された電力を昇圧する昇圧回路７を備え、上記静電チャック部２の内部電極４に電圧を印加する電源部５とで構成されている。
【００３８】
そして、上記両面吸着構造体（表示手段）１の静電チャック部２は、縦６００mm×横８５０mm×厚さ１００μmの大きさを有して上記誘電体３を構成する２枚のポリエチレン製樹脂シートの間に、内部電極４として縦５００mm×横４００mm×厚さ１μmの大きさを有する２枚の銅製の正電極層4a及び負電極層4bを互いに５mmの間隔をおいて挟み込み、これら２枚のポリエチレン製樹脂シートと２枚の銅製の正電極層4a及び負電極層4bとの間を粘着シートを介して一体的に接着して形成された、いわゆる双極型静電チャック構造を有している。
【００３９】
なお、この実施例１においては、上記内部電極４が互いに５mmの間隔をおいて挟み込まれた２枚の略々長方形状の正電極層4a及び負電極層4bで構成されているが、これら正電極層4a及び／又は負電極層4bについては、静電チャック部２の誘電体３の表裏両面に形成される吸着面3a,3bにおいて、より低い印加電圧でより大きなグラディエント力が発現してより大きな吸着力が発揮されるように、所定のパターン形状に形成されたものであってもよい。
【００４０】
また、この実施例１の展示・掲示装置において、上記静電チャック部２の内部電極４に電圧を印加する電源部５には、その太陽電池６と昇圧回路７との間に、太陽電池６で発電された電力を蓄えてこの太陽電池６の発電能力が一時的に停止し、あるいは、低下した際にも上記静電チャック部２に電力を供給できるように、エネルギー容量２００mWhの大容量コンデンサー８が設けられており、また、その昇圧回路７に、静電チャック部２への電力の供給をオン・オフし、これによって静電チャック部２の誘電体３の表裏両面に吸着力を発現させ、また、この吸着力を遮断する電源スイッチ９が設けられている。
【００４１】
なお、この実施例１の展示・掲示装置においては、両面吸着構造体１を構成する静電チャック部２と電源部５とが一体的に形成されているが、これら静電チャック部２と電源部５との間は電力が供給されるように結線されていればよく、これら静電チャック部２と電源部５との間を比較的長い接続ケーブルで接続し、静電チャック部２についてはポスター、絵画、道順案内図等の展示物や掲示物の展示・掲示のために都合のよい場所に設置し、また、電源部５については太陽電池６による発電に都合のよい場所に設置してもよい。
【００４２】
従って、この実施例１の展示・掲示装置によれば、先ず、電源スイッチ９がオフの状態で、上記両面吸着構造体１からなる表示手段を例えば大学のセラミックス製の校門等、静電チャック部２が吸着可能な設置場所10に位置決めして配置し、この状態で電源スイッチ９をオンして静電チャック部２の正電極層4a及び負電極層4bに電源部５の太陽電池６及び昇圧回路７からの電力を供給し、静電チャック部２の誘電体３の裏面側吸着面3bに吸着力を発現させ、これによって両面吸着構造体１（表示手段）を設置場所に貼り付け、次いで静電チャック部２の誘電体３の表面側吸着面3aには、例えば大学の受験生に受験会場を知らせる受験会場への道順案内図等の掲示物11を貼り付けて掲示する。
【００４３】
この実施例１の展示・掲示装置は、プラスチックス、セラミックス、窓ガラス、あるいは金属性の構造物でなる従来の掲示板や壁等の静電チャック部２の吸着力が作用し得る材質で形成された物体が存在すれば、そのような物体を利用してどこにでも設置することができ、しかも、繰返し使用が極めて容易に可能であって材料浪費等の問題がなく、また、エネルギー問題もないという利点を有する。
【００４４】
［実施例２］
図３において、本発明の実施例２に係る両面吸着構造体１を集塵手段として利用する集塵装置が示されており、この集塵装置は、例えば住宅等に設けられる集塵換気設備において、図示外の換気ユニットと共に使用される。なお、この実施例２で用いられる両面吸着構造体１は、図１に示す実施例１のものと実質的に同じであるが、１つの電源部５に対して４つの静電チャック部２が並列に接続された構造（集塵手段）を有している。
【００４５】
この実施例２の集塵手段において、上記４つの静電チャック部２は、図３に示すように、平板状の支持体12の上面に立設されて集塵部を形成しており、また、この支持体12に立設された各静電チャック部２の表裏両面の吸着面3a,3bにはそれぞれこの静電チャック部２の吸着力によりフィルターペーパー13が着脱可能に貼り付けられており、更に、上記支持体12には、この両面吸着構造体（集塵手段）１を換気ユニットのダクト14内に集塵部を着脱可能に取り付けるための図示外の取付手段が設けられている。
【００４６】
そして、この実施例２の両面吸着構造体（集塵手段）１において、電源部５は上記４つの静電チャック部２（集塵部）と比較的長い接続ケーブル15で接続されており、この電源部５の少なくとも太陽電池６は、太陽光を受けし易いように例えば住宅の屋根の上等に設置されている。
【００４７】
従って、この実施例２の集塵装置によれば、住宅等において集塵換気設備の換気ユニットが駆動し、そのダクト14を介して外気が屋内に取り入れられる際に、そのダクト14内に設置された両面吸着構造体（集塵手段）１の静電チャック部２が吸着面3a,3bのフィルターペーパー13を介して吸着力を発揮し、これによってダクト14内に導入された外気中の塵埃、花粉等の粉塵物をフィルターペーパー13上に捕集し、屋内に取り入れられる外気を清浄化する。
【００４８】
そして、長期の使用により、吸着面3a,3bのフィルターペーパー13上に比較的多量の粉塵物が蓄積された際には、ダクト14から支持体12共に４つの静電チャック部２（集塵部）を取り外し、次いで電源スイッチ９をオフにして各静電チャック部２の吸着面3a,3bからフィルターペーパー13を剥し取り、次いで再び電源スイッチ９をオンして各静電チャック部２の吸着面3a,3bにフィルターペーパー13を貼り付け、支持体12を介して４つの静電チャック部２（集塵部）をダクト14内に取り付ける。
【００４９】
この実施例２の集塵装置においては、大型のサイクロン式集塵装置等を取り付けるための設置スペース等が実質的に不要であり、また、フィルターのメンテナンスも容易であり、しかも、静電チャックの吸着力を利用して種々の粉塵物を用意にかつ確実に捕集することができる。
【００５０】
［実施例３］
図４において、本発明の実施例３に係るカイワレ大根製造用の植物育成装置の試験装置が示されており、この植物育成装置の試験装置は、脱脂綿とこの脱脂綿に吸収された水を収容し、カイワレ大根Ｐの種子を播種し発芽したカイワレ大根Ｐを所定の大きさまで育成する複数の育苗箱20と、これら複数の育苗箱20の周囲に高さ調節可能に立設された周壁部22とこの周壁部22の上端に載置された蓋体23とで構成され、外部からの光を遮蔽する保護ケース21とで構成されており、上記保護ケース21の蓋体23の内面側には、育苗箱20内に播種されて生育する種苗に対して電界による電気刺激を付与する電気刺激手段として機能する板状の両面吸着構造体１が吸着されている。
【００５１】
この実施例３においては、カイワレ大根Ｐを製造するための種子は、各育苗箱20内の水を含んだ脱脂綿中に播種され、また、保護ケース21の周壁部22は、播種された種子から発芽したカイワレ大根Ｐの草丈が伸長するのに伴ってこのカイワレ大根Ｐの先端（草丈上端）が電気刺激手段として機能する両面吸着構造体１からの電界の領域内に位置するように、経時的にその高さ調節が行われる。
【００５２】
ここで、育苗箱20として４cm×６cm×２cm（深さ）の大きさのプラスチック容器を４個用い、また、保護ケース21として縦２０cm×横３０cmの大きさを有すると共に３cmから１０cmまで高さ調節可能な周壁部22を有すると共にこの周壁部22の情報に載置される蓋体23を有するダンボール製の保護ケースを用い、更に、保護ケース21の蓋体23の内面側に電極幅３mm、ギャップ１mm及び重なり部１mmのカーボン電極を備えた静電チャック部を有する両面吸着構造体１を吸着させ、カイワレ大根Ｐの播種時からその草丈が所定の大きさになるまで、草丈上端と両面吸着構造体１との間を２cm以内に維持して常時±９００Vの電圧を印加する植物育成試験を２００８年８月２０日から同年８月２１日にかけて行うと共に、電圧を印加しない比較例の場合と比較した。
【００５３】
結果は、図５に示す通りであり、電圧を印加した実施例の場合は、電圧を印加しない比較例の場合に比べて、平均して約１．７倍の成長速度を示した。
【符号の説明】
【００５４】
１…両面吸着構造体（表示手段又は集塵手段）、２…静電チャック部、３…誘電体、3a,3b…吸着面、４…内部電極、4a…正電極層、4b…負電極層、５…電源部、６…太陽電池、７…昇圧回路、８…大容量コンデンサー、９…電源スイッチ、10…設置場所、11…掲示物、12…支持体、13…フィルターペーパー、14…換気ユニットのダクト、15…接続ケーブル、Ｐ…カイワレ大根、20…育苗箱、21…保護ケース、22…周壁部、23…蓋体。
【図１】
2010032676.tif 000003
【図２】
2010032676.tif 000004
【図３】
2010032676.tif 000005
【図４】
2010032676.tif 000006
【図５】
2010032676.tif 000007
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
絶縁材料で平板状に形成されて表裏両面を有する誘電体とこの誘電体の内部に埋設された内部電極とを有し、上記内部電極に電圧を印加した際に上記誘電体の表裏両面がそれぞれ吸着面となる静電チャック部と、この静電チャック部の内部電極に電圧を印加する電源部とを備え、
上記電源部が、太陽電池とこの太陽電池で発電された電力を昇圧する昇圧回路と、太陽電池で発電された電力を蓄電する蓄電手段とを備えていると共に、上記静電チャック部が厚さ０．２〜３ｍｍのシート状又は薄板状に形成されていることを特徴とする両面吸着構造体。
【請求項２】
（削除）
【請求項３】
（削除）
【請求項４】
静電チャック部の誘電体が、合成樹脂製及び／又はセラミックス製である請求項１に記載の両面吸着構造体。
【請求項５】
静電チャック部の誘電体が、可撓性を有する合成樹脂製の樹脂シートに形成されている請求項１に記載の両面吸着構造体。
【請求項６】
請求項１〜５のいずれかに記載の両面吸着構造体を用いて形成された展示・掲示用の表示手段を備えていることを特徴とする展示・掲示装置。
【請求項７】
請求項１〜５のいずれかに記載の両面吸着構造体を用いて形成された集塵手段を備えており、上記集塵手段が両面吸着構造体の電源部のオン・オフにより静電チャック部の吸着面に着脱可能なフィルターペーパーを有することを特徴とする集塵装置。
【請求項８】
（削除）
【請求項９】
植物の上方を覆う蓋体及び植物の周囲を覆う周壁部を備えた保護ケースと、請求項１〜５のいずれかに記載の両面吸着構造体を用いて形成され、上記保護ケースの蓋体の内面側に吸着され、電圧印加時に植物に対して静電チャック部の電界による電気刺激を付与する電気刺激手段とを備えており、上記保護ケースの周壁部が高さ調節可能に形成されていることを特徴とする植物育成装置。
【国際調査報告】
2010032676.tif 000008
2010032676.tif 000009
2010032676.tif 000010
2010032676.tif 000011